【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
無線で送電するための送電コイルであって、当該送電コイルに対する電圧の印加に応じて互いに逆向きの磁界を生じる第１ループ及び第２ループを有する送電コイルと、
前記送電コイルにより発生する磁界を介して無線で受電するための受電コイルと、
前記送電コイルに対する前記受電コイルの位置を移動させる移動制御手段と、
前記移動制御手段による前記位置の移動を、前記第１ループと前記第２ループとが並ぶ方向に対して略垂直な動き方向に制限する制限手段とを有することを特徴とする無線電力伝送システム。
【請求項２】
前記移動制御手段は、前記送電コイル又は前記受電コイルを、前記制限手段としてのレールに沿って前記動き方向に移動させることを特徴とする請求項１に記載の無線電力伝送システム。
【請求項３】
前記受電コイルにより受電された電力を用いて記録媒体に対してインクを吐出するプリントヘッドを有し、
前記移動制御手段は、前記受電コイルと前記プリントヘッドとを前記レールに沿って前記動き方向に連動して移動させることを特徴とする請求項２に記載の無線電力伝送システム。
【請求項４】
前記移動制御手段は、前記受電コイルにより受電された電力を用いて、前記受電コイルを備える車両を前記レールに沿って前記動き方向に移動させることを特徴とする請求項２に記載の無線電力伝送システム。
【請求項５】
前記受電コイルには、前記送電コイルに対する電圧の印加に応じて、前記動き方向における前記受電コイルの位置に依存しない向きの電流が流れることを特徴とする請求項１乃至４の何れか１項に記載の無線電力伝送システム。
【請求項６】
前記送電コイルは、前記動き方向における前記送電コイルの端部の近傍に、前記第１ループと前記第２ループとの接続部を有することを特徴とする請求項１乃至５の何れか１項に記載の無線電力伝送システム。
【請求項７】
前記受電コイルは第３ループを有し、
前記動き方向に垂直な基準方向の視点において、前記動き方向における前記送電コイルに対する前記受電コイルの位置に関わらず、前記第１ループの内部と前記第２ループの内部との何れか一方と前記第３ループの内部とが少なくとも一部重なることを特徴とする請求項１乃至６の何れか１項に記載の無線電力伝送システム。
【請求項８】
前記受電コイルは、互いに逆向きの電流が流れる第３ループ及び第４ループを有し、
前記動き方向に垂直な基準方向の視点において、前記動き方向における前記送電コイルに対する前記受電コイルの位置に関わらず、前記第１ループの内部と前記第３ループの内部とが少なくとも一部重なり、前記第２ループの内部と前記第４ループの内部とが少なくとも一部重なることを特徴とする請求項１乃至６の何れか１項に記載の無線電力伝送システム。
【請求項９】
前記受電コイルは第３ループを有し、
前記動き方向に垂直な基準方向の視点において、前記動き方向における前記送電コイルに対する前記受電コイルの位置に関わらず、前記第１ループと前記第２ループとの間に前記第３ループが位置することを特徴とする請求項１乃至６の何れか１項に記載の無線電力伝送システム。
【請求項１０】
前記受電コイルは、互いに逆向きの電流が流れる第３ループ及び第４ループを有し、
前記動き方向における前記送電コイルに対する前記受電コイルの位置に関わらず、前記第１ループ及び前記第２ループが存在する平面に対して前記第３ループと前記第４ループとが互いに逆側に位置することを特徴とする請求項１乃至６の何れか１項に記載の無線電力伝送システム。
【請求項１１】
略平行な導体部分を４以上有するメアンダ形状の送電コイルと、
前記送電コイルにより発生する磁界を介して無線で受電するための受電コイルと、
前記送電コイルに対する前記受電コイルの位置を、前記導体部分と略平行な動き方向に移動させる移動制御手段とを有することを特徴とする無線電力伝送システム。
【請求項１２】
前記受電コイルは、前記動き方向と略平行な導体部分を４以上有するメアンダ形状であることを特徴とする請求項１１に記載の無線電力伝送システム。
【請求項１３】
前記動き方向に垂直な基準方向の視点において、前記受電コイルが有する前記動き方向と略平行な導体部分は、前記送電コイルが有する前記動き方向と略平行な導体部分に重なることを特徴とする請求項１２に記載の無線電力伝送システム。
【請求項１４】
前記送電コイルは、前記受電コイルよりも前記動き方向における長さが長いことを特徴とする請求項１乃至１３の何れか１項に記載の無線電力伝送システム。
【請求項１５】
前記受電コイルのループの内部に位置する磁性体を有することを特徴とする請求項１乃至１４の何れか１項に記載の無線電力伝送システム。
【請求項１６】
無線で送電するための送電コイルであって、当該送電コイルに対する電圧の印加に応じて互いに逆向きの磁界を生じる第１ループ及び第２ループを有する送電コイルと、
前記送電コイルにより発生する磁界を介して無線で受電するための受電コイルと、
前記送電コイルに対する前記受電コイルの位置の移動を、前記第１ループと前記第２ループとが並ぶ方向に対して略垂直な動き方向に制限する制限手段と、
を有する無線電力伝送システムの制御方法であって、
前記送電コイルに電圧を印加する印加工程と、
前記送電コイルに対する前記受電コイルの位置を前記動き方向に移動させる移動制御工程と、
前記印加工程における前記送電コイルに対する電圧の印加に応じて前記受電コイルに発生した電力を出力する出力工程とを有することを特徴とする制御方法。
【請求項１７】
略平行な導体部分を４以上有するメアンダ形状の送電コイルと、
前記送電コイルにより発生する磁界を介して無線で受電するための受電コイルと、
を有する無線電力伝送システムの制御方法であって、
前記送電コイルに対する前記受電コイルの位置を、前記導体部分と略平行な動き方向に移動させる移動制御工程と、
前記送電コイルに電圧を印加する印加工程と、
前記印加工程における前記送電コイルに対する電圧の印加に応じて前記受電コイルに発生した電力を出力する出力工程とを有することを特徴とする制御方法。
【請求項１８】
前記出力工程において出力された電力を用いて記録媒体に対してインクを吐出するプリントヘッドを制御する制御工程を有し、
前記移動制御工程は、前記受電コイルと前記プリントヘッドとを前記制限手段としてのレールに沿って前記動き方向に連動して移動させることを特徴とする請求項１６又は１７に記載の制御方法。
【請求項１９】
前記移動制御工程は、前記出力工程において出力された電力を用いて、前記受電コイルを備える車両を前記制限手段としてのレールに沿って前記動き方向に移動させることを特徴とする請求項１６又は１７に記載の制御方法。
【請求項２０】
コンピュータに、請求項１６乃至１９の何れか１項に記載の制御方法で無線電力伝送システムを制御させるためのプログラム。
【手続補正２】
【補正対象書類名】明細書
【補正対象項目名】０００６
【補正方法】変更
【補正の内容】
【０００６】
上記課題を解決するため、本発明に係る無線電力伝送システムは、例えば以下の構成を有する。すなわち、無線で送電するための送電コイルであって、当該送電コイルに対する電圧の印加に応じて互いに逆向きの磁界を生じる第１ループ及び第２ループを有する送電コイルと、前記送電コイルにより発生する磁界を介して無線で受電するための受電コイルと、前記送電コイルに対する前記受電コイルの位置を移動させる移動制御手段と、前記移動制御手段による前記位置の移動を、前記第１ループと前記第２ループとが並ぶ方向に対して略垂直な動き方向に制限する制限手段とを有する。